(57)【要約】本発明は宝石または貴金属が附着された硝子またはプラスチックまたはクリスタル製品の製造方法及びこれによって製造される宝石または貴金属が附着された硝子またはプラスチックまたはクリスタル製品に関する。その方法は、宝石または貴金属を金型に装着させた状態で、硝子またはプラスチックまたはクリスタル原料を射出機に注入して、硝子またはプラスチックまたはクリスタル原料を溶融させて金型に注入させ、金型に注入された硝子またはプラスチックまたはクリスタル原料液体を冷却させて、宝石または貴金属が附着された硝子またはプラスチックまたはクリスタル製品を形成し、この形成された宝石または貴金属が附着された硝子またはプラスチックまたはクリスタル製品を金型から取り出すように具現することによって、硝子またはプラスチックまたはクリスタル製品に宝石または貴金属を装飾部材として付け加えることができて、硝子またはプラスチックまたはクリスタル製品の装飾效果をより向上させることができることを含む。
2010536612.tif 000002
【特許請求の範囲】
【請求項１】
宝石または貴金属を金型に装着させる装着段階と；
硝子またはプラスチックまたはクリスタル原料を射出機に注入して硝子またはプラスチックまたはクリスタル原料を溶融させる溶融段階と；
上記溶融段階によって溶融された硝子またはプラスチックまたはクリスタル原料液体を金型に注入させる液体注入段階と；
上記液体注入段階によって金型に注入された硝子またはプラスチックまたはクリスタル原料液体を冷却させて、宝石または貴金属が附着された硝子またはプラスチックまたはクリスタル製品を形成する製品形成段階と；
上記製品形成段階によって形成された宝石または貴金属が附着された硝子またはプラスチックまたはクリスタル製品を金型から取り出す脱型段階と；
を含むことを特徴とする宝石または貴金属が附着された硝子またはプラスチックまたはクリスタル製品の製造方法。
【請求項２】
プラスチックまたはクリスタル製品の脱型段階以後に硝子、プラスチックまたはクリスタル製品に附着された宝石または貴金属を光沢処理する段階を含むことを特徴とする請求項１に記載の宝石または貴金属が附着された硝子またはプラスチックまたはクリスタル製品の製造方法。
【請求項３】
プラスチックまたはクリスタル製品の脱型段階以後に宝石または貴金属が附着された硝子またはプラスチックまたはクリスタル製品の見掛けを仕上げる段階を含むことを特徴とする請求項１に記載の宝石または貴金属が附着された硝子またはプラスチックまたはクリスタル製品の製造方法。
【請求項４】
硝子またはプラスチックまたはクリスタル原料に添加剤を混合して射出機に注入することを特徴とする請求項１に記載の宝石または貴金属が附着された硝子またはプラスチックまたはクリスタル製品の製造方法。
【請求項５】
真空状態で溶融された硝子またはプラスチックまたはクリスタル原料液体を金型に注入させることを特徴とする請求項１に記載の宝石または貴金属が附着された硝子またはプラスチックまたはクリスタル製品の製造方法。
【請求項６】
請求項１乃至請求項５のいずれか一項に記載の宝石または貴金属が附着された硝子またはプラスチックまたはクリスタル製品の製造方法によって製造される宝石または貴金属が附着された硝子またはプラスチックまたはクリスタル製品。
【請求項７】
一部分が開口されるように製作された貴金属の開口された内側に変形抑制物を充填させて凝固させる充填段階と；
上記変形抑制物が充填された貴金属を金型に装着させる装着段階と；
硝子またはプラスチックまたはクリスタル原料を射出機に注入して、硝子またはプラスチックまたはクリスタル原料を溶融させる溶融段階と；
上記溶融段階によって溶融された硝子またはプラスチックまたはクリスタル原料液体を金型に注入させる液体注入段階と；
上記液体注入段階によって金型に注入された硝子またはプラスチックまたはクリスタル原料液体を冷却させて、貴金属が装着された硝子またはプラスチックまたはクリスタル製品を形成する製品形成段階と；
上記製品形成段階によって形成された貴金属が装着された硝子またはプラスチックまたはクリスタル製品を金型から取り出す脱型段階と；
を含むことを特徴とする貴金属が装着された硝子またはプラスチックまたはクリスタル製品の製造方法。
【請求項８】
プラスチックまたはクリスタル製品の脱型段階以後に貴金属から変形抑制物を除去する除去段階を含むことを特徴とする請求項７に記載の貴金属が装着された硝子またはプラスチックまたはクリスタル製品の製造方法。
【請求項９】
プラスチックまたはクリスタル製品の脱型段階以後に硝子またはプラスチックまたはクリスタル製品に装着された貴金属を光沢処理する段階を含むことを特徴とする請求項７に記載の貴金属が装着された硝子またはプラスチックまたはクリスタル製品の製造方法。
【請求項１０】
プラスチックまたはクリスタル製品の脱型段階以後に貴金属が装着された硝子またはプラスチックまたはクリスタル製品の見掛けを仕上げる段階を含むことを特徴とする請求項７に記載の貴金属が装着された硝子またはプラスチックまたはクリスタル製品の製造方法。
【請求項１１】
硝子またはプラスチックまたはクリスタル原料に添加剤を混合して射出機に注入することを特徴とする請求項７に記載の貴金属が装着された硝子またはプラスチックまたはクリスタル製品製造方法。
【請求項１２】
請求項７乃至請求項１１のいずれか一項に記載の貴金属が装着された硝子またはプラスチックまたはクリスタル製品の製造方法によって製造される貴金属が装着された硝子またはプラスチックまたはクリスタル製品。
【発明の詳細な説明】
【技術分野】
【０００１】
本発明は宝石または貴金属が附着された硝子またはプラスチックまたはクリスタル製品の製造方法及びこれによって製造される宝石または貴金属が附着された硝子またはプラスチックまたはクリスタル製品に関し、特に、硝子またはプラスチックまたはクリスタル製品に宝石または貴金属を附着する技術に関する。
【背景技術】
【０００２】
ダイヤモンド、ルビー、サファイア、エメラルド、真珠、珊瑚などのような宝石類及び白金、純金などの貴金属素材は稀少価値だけではなく、光の反射による美しさによって装飾用素材として最高の価値を認められている。
【０００３】
従って、硝子またはプラスチックまたはクリスタル製品に宝石または貴金属を装飾部材として付加することができれば、硝子またはプラスチックまたはクリスタル製品の装飾效果をより向上させることができ、生活水準が豊かになるにつれ、装飾用硝子またはプラスチックまたはクリスタル製品の需要が増加する最近の趨勢を鑑みてこのような技術が必要である実情である。
【０００４】
上記のような時代趨勢に従って、本発明の特許出願人は貴金属が装着された硝子またはプラスチックまたはクリスタル製品の製造方法及びこれによって製造される貴金属が装着された硝子またはプラスチックまたはクリスタル製品に対する研究を行うことになり、貴金属が装着された硝子またはプラスチックまたはクリスタル製品の製造過程で溶融された硝子またはプラスチックまたはクリスタル原料の冷却の時、原料の収縮による貴金属の形状の変形を防止することができる技術を提案する。
【発明の概要】
【発明が解決しようとする課題】
【０００５】
本発明は上記の趣旨の基で発明されたもので、硝子またはプラスチックまたはクリスタル製品に宝石または貴金属を装飾部材として付け加えて、硝子またはプラスチックまたはクリスタル製品の装飾效果をより向上させることができる宝石または貴金属が装着された硝子またはプラスチックまたはクリスタル製品の製造方法及びこれによって製造される宝石または貴金属が附着された硝子またはプラスチックまたはクリスタル製品を提供することをその目的とする。
【０００６】
即ち、本発明は貴金属が装着された硝子またはプラスチックまたはクリスタル製品の製造過程で溶融された硝子またはプラスチックまたはクリスタル原料の冷却の時、収縮による貴金属の形状の変形を防止することができる貴金属が装着された硝子またはプラスチックまたはクリスタル製品の製造方法及びこれによって製造される貴金属が装着された硝子またはプラスチックまたはクリスタル製品を提供することをその目的とする。
【課題を解決するための手段】
【０００７】
上記の目的を達するための好ましい一実施形態による本発明は、宝石または貴金属を金型に装着させた状態で、硝子またはプラスチックまたはクリスタル原料を射出機に注入して、硝子またはプラスチックまたはクリスタル原料を溶融させて金型に注入させ、金型に注入された硝子またはプラスチックまたはクリスタル原料液体を冷却させて、宝石または貴金属が附着された硝子またはプラスチックまたはクリスタル製品を形成し、この形成された宝石または貴金属が附着された硝子またはプラスチックまたはクリスタル製品を金型から取り出すことを特徴とする。
【０００８】
上記の目的を達するための好ましい他の実施形態による本発明は、一部分が開口されるように製作された貴金属の開口された内側に変形抑制物を充填させて凝固させた変形抑制物が充填された貴金属を金型に装着させた状態で、硝子またはプラスチックまたはクリスタル原料を溶融させて金型に注入させ、金型に注入された硝子またはプラスチックまたはクリスタル原料液体を冷却させて貴金属が装着された硝子またはプラスチックまたはクリスタル製品を形成し、この形成された貴金属が装着された硝子またはプラスチックまたはクリスタル製品を金型から取り出すことを特徴とする。
【０００９】
本発明の特徴及び利点は添付図面に基づいた以後の詳細な説明によってさらに明らかになる。ここで、本明細書及び特許請求の範囲に使用される用語や単語は通常的で、辞典的な意味に解釈されてはならなく、発明者が自分の発明を最善の方法で説明するために用語の概念を適切に定義できるという原則に即して、本発明の技術思想に適合する意味と概念に解釈されるべきである。
【発明の効果】
【００１０】
本発明は硝子またはプラスチックまたはクリスタル製品に宝石または貴金属を装飾部材として付け加えて硝子またはプラスチックまたはクリスタル製品の装飾效果をより向上させることができる非常に有用な效果を奏する。
【００１１】
また、硝子またはプラスチックまたはクリスタル製品の製造過程において、硝子またはプラスチックまたはクリスタル製品に装着される貴金属の形状の変形を效率的に防止することができる非常に有用な效果を奏する。
【図面の簡単な説明】
【００１２】
【図１】本発明の一実施形態による宝石または貴金属が装着された硝子またはプラスチックまたはクリスタル製品の製造方法の一実施形態によるフローチャート。
【図２】本発明の一実施形態による宝石または貴金属が装着された硝子またはプラスチックまたはクリスタル製品の製造方法によって製造される宝石または貴金属が装着された硝子またはプラスチックまたはクリスタル製品の一例を示した図面。
【図３】本発明の他の実施形態による貴金属が装着された硝子またはプラスチックまたはクリスタル製品の製造方法の一実施形態によるフローチャート。
【図４】本発明の他の実施形態による貴金属が装着された硝子またはプラスチックまたはクリスタル製品の製造方法によって製造される貴金属が装着された硝子またはプラスチックまたはクリスタル製品の一例を示した図面。
【発明を実施するための形態】
【００１３】
上述した本発明の目的、特徴及び長所は以下の詳細な説明によってさらに明確になる。
以下、添付された図面を参照して本発明を説明すれば下記の通りである。まず、図面において同一の構成要素または部品は同一の符号で示しており、本発明を説明するにおいて、係わる公知の機能または構成に対する具体的な説明は本発明の要旨を明確にするために省略する。
以下、添付された図面を参照して、好ましい実施形態によって本発明を当業者が容易に理解して再現できるように詳しく記述する。
【００１４】
図１は本発明による宝石または貴金属が装着された硝子またはプラスチックまたはクリスタル製品の製造方法の一実施形態によるフローチャートである。図面に示しているように、本発明による宝石または貴金属が装着された硝子またはプラスチックまたはクリスタル製品の製造方法は、装着段階Ｓ１１０と、溶融段階Ｓ１２０と、液体注入段階Ｓ１３０と、製品形成段階Ｓ１４０と、脱型段階Ｓ１５０とを含む。
【００１５】
宝石または貴金属が装着された硝子またはプラスチックまたはクリスタル製品を製造するためには、まず、装着段階Ｓ１１０で、宝石または貴金属を金型に装着させる。即ち、製造しようとする硝子またはプラスチックまたはクリスタル製品の金型（図示せず）を製作する時、宝石または貴金属を装着するための装着部（図示せず）が形成されるように製作し、上記装着段階Ｓ１１０を通じて宝石または貴金属を金型に形成された装着部に装着させる。この時、装着される宝石に光を透光するために光透過孔１１０が形成されるように金型を製作することもできる。
【００１６】
この時、上記金型の装着部に宝石または貴金属を人が手動で装着することもできるが、好ましくは宝石または貴金属を取るピックアップ手段（図示せず）によってピックアップ（Ｐｉｃｋ  Ｕｐ）された宝石または貴金属をプログラムされた位置の間を回転する回転手段（図示せず）を通じて移動させて、金型に形成された装着部の位置に宝石または貴金属を移送させ、上記金型に形成された装着部に宝石または貴金属を挿入して装着する装着手段（図示せず）を含む機械装置（図示せず）を利用して金型に形成された装着部に宝石または貴金属を装着する。
【００１７】
上記装着段階Ｓ１１０によって金型に宝石または貴金属が装着されると、溶融段階Ｓ１２０で硝子またはプラスチックまたはクリスタル原料を射出機（図示せず）に注入して硝子またはプラスチックまたはクリスタル原料を溶融させる。例えば、上記溶融段階Ｓ１２０で射出機に注入された硝子またはプラスチックまたはクリスタル原料を加熱して硝子またはプラスチックまたはクリスタル原料が液体状態になるように溶融することができる。
【００１８】
この時、上記溶融段階Ｓ１２０で硝子またはプラスチックまたはクリスタル原料に添加剤を混合して射出機に注入するように具現することもできる。例えば、上記添加剤として色素を用いる場合、以後特定の色を有する硝子またはプラスチックまたはクリスタル製品を得ることができる。
【００１９】
その次、上記溶融段階Ｓ１２０によって硝子またはプラスチックまたはクリスタル原料が溶融されて液体状態になると、液体注入段階Ｓ１３０で溶融された硝子またはプラスチックまたはクリスタル原料液体を上記装着段階Ｓ１１０によって宝石または貴金属が装着された金型に注入させる。
【００２０】
この時、上記液体注入段階Ｓ１３０で真空状態で溶融された硝子またはプラスチックまたはクリスタル原料液体を金型に注入させることが好ましい。その理由は、真空状態で注入しないと、特定の温度以上で宝石または貴金属が酸素と結合して気化されることができるからである。例えば、ダイヤモンドの場合、炭素（Ｃ）からなり、炭素は空気の中で約８００〜１６００℃程度で酸素（Ｏ）と結合して二酸化炭素（ＣＯ２）に変わる。
【００２１】
一方、上記液体注入段階Ｓ１３０で溶融された液体温度が特定の温度以上に上がらないようにすることが好ましい。その理由は、真空状態で宝石が特定温度以上の場合、性質が変わるからである。例えば、ダイヤモンドの場合、真空状態で２０００℃以上に加熱すると黒煙に変わる。
【００２２】
その次、上記液体注入段階Ｓ１３０によって溶融された硝子またはプラスチックまたはクリスタル原料液体が宝石または貴金属が装着された金型に注入されると、上記製品形成段階Ｓ１４０で金型に注入された硝子またはプラスチックまたはクリスタル原料液体を冷却させて、宝石または貴金属が附着された硝子またはプラスチックまたはクリスタル製品を形成し、脱型段階Ｓ１５０で上記製品形成段階Ｓ１４０によって形成された宝石または貴金属が附着された硝子またはプラスチックまたはクリスタル製品を金型から取り出して、図２に示しているような完成された宝石または貴金属が附着された硝子またはプラスチックまたはクリスタル製品を得る。図２において未説明符号１００は硝子またはプラスチックまたはクリスタル製品であり、２００は宝石または貴金属である。
【００２３】
従って、上記のようにすることによって、本発明は硝子またはプラスチックまたはクリスタル製品に宝石または貴金属を装飾部材として付け加えることによって硝子またはプラスチックまたはクリスタル製品の装飾效果をより向上させることができるので、上記で提示した本発明の目的を達することができる。
【００２４】
一方、本発明の変形には、本発明による宝石または貴金属が附着された硝子またはプラスチックまたはクリスタル製品の製造方法が光沢処理段階Ｓ１６０をさらに含むことができる。上記光沢処理段階Ｓ１６０は上記脱型段階Ｓ１５０以後に硝子またはプラスチックまたはクリスタル製品に附着された宝石または貴金属を光沢処理する。例えば、上記光沢処理段階Ｓ１６０で電解煙幕処理して硝子またはプラスチックまたはクリスタル製品に附着された宝石または貴金属が光沢を出すように具現することができる。
【００２５】
即ち、この実施形態は硝子またはプラスチックまたはクリスタル製品に附着された宝石または貴金属を光沢処理することによって、より美麗で美しい宝石または貴金属が附着された硝子またはプラスチックまたはクリスタル製品を製造することができるようにした実施形態で、このようにすることによって、硝子またはプラスチックまたはクリスタル製品の装飾效果がより向上されるので、上記で提示した本発明の目的を達することができる。
【００２６】
一方、本発明の他の変形には、本発明による宝石または貴金属が附着された硝子またはプラスチックまたはクリスタル製品の製造方法が仕上げ段階Ｓ１７０をさらに含むことができる。即ち、この仕上げ段階Ｓ１７０は金型から脱型された宝石または貴金属が附着された硝子またはプラスチックまたはクリスタル製品で不必要な部分を研磨したり整えるなどの作業を通じて宝石または貴金属が附着された硝子またはプラスチックまたはクリスタル製品の見掛けを美麗に仕上げて、より美麗で美しい宝石または貴金属が附着された硝子またはプラスチックまたはクリスタル製品を製造することができるようにした実施形態で、このようにすることによって、硝子またはプラスチックまたはクリスタル製品の装飾效果がより向上されるので、上記で提示した本発明の目的を達することができる。この時、上記仕上げ段階Ｓ１７０は上記脱型段階Ｓ１５０または上記光沢処理段階Ｓ１６０の次の過程で行うことができるが、好ましくは上記光沢処理段階Ｓ１６０の次の過程で行う方が良い。
【００２７】
図３は本発明の他の実施形態による貴金属が装着された硝子またはプラスチックまたはクリスタル製品の製造方法の一実施形態によるフローチャートを示した図面である。図面に示しているように、本実施形態による貴金属が装着された硝子またはプラスチックまたはクリスタル製品の製造方法は、充填段階Ｓ１１０′と、装着段階Ｓ１２０′と、溶融段階Ｓ１３０′と、液体注入段階Ｓ１４０′と、製品形成段階Ｓ１５０′と、脱型段階Ｓ１６０′とを含む。
【００２８】
貴金属が装着された硝子またはプラスチックまたはクリスタル製品の製造の時、貴金属の形状の変形を防止するためには、まず、図４に示したように、貴金属１００′の一部分が開口されるように製作し、充填段階Ｓ１１０′で一部分が開口されるように製作された貴金属１００′の開口された内側に変形抑制物２００′を充填させて凝固させる。例えば、上記変形抑制物２００′として石膏または泥を用いることができる。
【００２９】
その次、貴金属が装着された硝子またはプラスチックまたはクリスタル製品を製造するために装着段階Ｓ１２０′で上記変形抑制物が充填された貴金属を金型に装着させる。即ち、製造しようとする硝子またはプラスチックまたはクリスタル製品の金型（図示せず）を製作する時、貴金属を装着するための装着部（図示せず）が形成されるように製作し、上記装着段階Ｓ１２０′を通じて貴金属を金型に形成された装着部に装着させる。
【００３０】
この時、上記金型の装着部に貴金属を人が手動で装着することもできるが、好ましくは貴金属を取るピックアップ手段（図示せず）によってピックアップ（Ｐｉｃｋ  Ｕｐ）された貴金属をプログラムされた位置の間を回転する回転手段（図示せず）を通じて移動させ、金型に形成された装着部の位置に貴金属を移送させ、上記金型に形成された装着部に貴金属を挿入して装着する装着手段（図示せず）を含む機械装置（図示せず）を利用して金型に形成された装着部に貴金属を装着する。
【００３１】
上記装着段階Ｓ１２０′によって金型に貴金属が装着されると、溶融段階Ｓ１３０′で硝子またはプラスチックまたはクリスタル原料を射出機（図示せず）に注入して、硝子またはプラスチックまたはクリスタル原料を溶融させる。例えば、上記溶融段階Ｓ１３０′で射出機に注入された硝子またはプラスチックまたはクリスタル原料を加熱して硝子またはプラスチックまたはクリスタル原料が液体状態になるように溶融することができる。
【００３２】
この時、上記溶融段階Ｓ１３０′で硝子またはプラスチックまたはクリスタル原料に添加剤を混合して射出機に注入するように具現することもできる。例えば、上記添加剤として色素を用いる場合、以後特定の色を有する硝子またはプラスチックまたはクリスタル製品を得ることができる。
【００３３】
その次、上記溶融段階Ｓ１３０′によって硝子またはプラスチックまたはクリスタル原料が溶融されて液体状態になると、液体注入段階Ｓ１４０′で溶融された硝子またはプラスチックまたはクリスタル原料液体を上記装着段階Ｓ１２０′によって貴金属が装着された金型に注入させる。
【００３４】
その次、上記液体注入段階Ｓ１４０′によって溶融された硝子またはプラスチックまたはクリスタル原料液体が貴金属が装着された金型に注入されると、製品形成段階Ｓ１５０′で金型に注入された硝子またはプラスチックまたはクリスタル原料液体を冷却させて、貴金属が装着された硝子またはプラスチックまたはクリスタル製品を形成する。
【００３５】
この時、図４に示したように、一部分が開口されるように製作された貴金属１００′の開口された内側に変形抑制物２００′が充填されて凝固されているので、貴金属１００′の外側で溶融された硝子またはプラスチックまたはクリスタル原料３００′が冷却されて収縮作用しても貴金属１００′の開口された内側に充填された堅い変形抑制物２００′によって貴金属１００′の形状が変形されなくなる。
【００３６】
その次、脱型段階Ｓ１６０′で上記製品形成段階Ｓ１５０′によって形成された貴金属が装着された硝子またはプラスチックまたはクリスタル製品を金型から取り出せば、貴金属が装着された硝子またはプラスチックまたはクリスタル製品を得ることができる。
【００３７】
従って、上記のようにするによって、本発明は硝子またはプラスチックまたはクリスタル製品に貴金属を装飾部材として付け加えて硝子またはプラスチックまたはクリスタル製品の装飾效果をより向上させることができ、硝子またはプラスチックまたはクリスタル製品の製造過程で硝子またはプラスチックまたはクリスタル製品に装着される貴金属の形状の変形を效率的に防止することができるので、上記で提示した本発明の目的を達することができる。
【００３８】
一方、本発明の他の変形には、本発明による貴金属が装着された硝子またはプラスチックまたはクリスタル製品の製造方法が除去段階Ｓ１７０′をさらに含むことができる。上記除去段階Ｓ１７０′は上記脱型段階Ｓ１６０′以後に充填された変形抑制物２００′を除去する。
【００３９】
即ち、この実施形態は貴金属１００′の内に充填された変形抑制物２００′を取り除いてより美麗にした実施形態で、貴金属１００′の内に変形抑制物２００′が充填されたまま貴金属が装着された硝子またはプラスチックまたはクリスタル製品を完成するのに比べて貴金属１００′の内に充填された変形抑制物２００′を取り除く場合より美麗である。
【００４０】
例えば、変形抑制物２００′が除去された部分に後加工過程を通じて溶融された硝子またはプラスチックまたはクリスタル液体を充填させた後、冷却させて貴金属が装着された硝子またはプラスチックまたはクリスタル製品を完成することもできる。
【００４１】
一方、本発明の変形には、本発明による貴金属が装着された硝子またはプラスチックまたはクリスタル製品の製造方法が光沢処理段階Ｓ１８０′をさらに含むことができる。上記光沢処理段階Ｓ１８０′は上記脱型段階Ｓ１６０′以後に硝子またはプラスチックまたはクリスタル製品に装着された貴金属を光沢処理する。例えば、上記光沢処理段階Ｓ１８０′で電解煙幕処理して硝子またはプラスチックまたはクリスタル製品に装着された貴金属が光沢を出すように具現することができる。
【００４２】
即ち、この実施形態は硝子またはプラスチックまたはクリスタル製品に装着された貴金属を光沢処理することによってより美麗で美しい貴金属が装着された硝子またはプラスチックまたはクリスタル製品を製造するようにした実施形態で、このようにするによって、硝子またはプラスチックまたはクリスタル製品の装飾效果をより向上させることができる。
【００４３】
一方、本発明の他の変形には、本発明による貴金属が装着された硝子またはプラスチックまたはクリスタル製品の製造方法が仕上げ段階Ｓ１９０′をさらに含むことができる。即ち、この仕上げ段階Ｓ１９０′は金型から脱型された貴金属が装着された硝子またはプラスチックまたはクリスタル製品で不必要な部分を研磨したり整えるなどの作業を通じて貴金属が装着された硝子またはプラスチックまたはクリスタル製品の見掛けを美麗に仕上げて、より美麗で美しい貴金属が装着された硝子またはプラスチックまたはクリスタル製品を製造することができるようにした実施形態である。
【００４４】
このようにするによって硝子またはプラスチックまたはクリスタル製品の装飾效果をより向上させることができる。この時、上記仕上げ段階Ｓ１９０′は上記脱型段階Ｓ１６０′または上記光沢処理段階Ｓ１８′の次の過程で行うことができるが、好ましくは上記光沢処理段階Ｓ１８０′の次の過程で行う方が良い。
【００４５】
以上で説明したように、本発明は貴金属が装着された硝子またはプラスチックまたはクリスタル製品の製造の時、一部分が開口されるように製作された貴金属の開口された内側に変形抑制物を充填させた状態で、硝子またはプラスチックまたはクリスタル製品に貴金属を装着することによって、硝子またはプラスチックまたはクリスタル製品の製造過程で硝子またはプラスチックまたはクリスタル製品に装着される貴金属の形状の変形を效率的に防止することができるので、上記で提示した本発明の目的を達することができる。
【００４６】
本発明は添付された図面によって参照される好ましい実施形態を中心に記述しているが、このような記載から後述する特許請求の範囲によって包括される範囲内で本発明の範疇を逸脱することなく多様な変形が可能であることは明白である。
【００４７】
一方、本発明は記載された実施形態に限定されるものではなく、本発明の思想及び範囲を逸脱しないで多様に修正及び変形できることは、当該技術分野で通常の知識を有する者にとっては自明である。従って、そのような変形例または修正例は本発明の特許請求の範囲に属するべきである。
【符号の説明】
【００４８】
１００：  硝子またはプラスチックまたはクリスタル製品
１００′：貴金属
１１１：  光透過孔
２００：  宝石または貴金属
２００′：変形抑制物
３００′：硝子またはプラスチックまたはクリスタル原料
【図１】
2010536612.tif 000003
【図２】
2010536612.tif 000004
【図３】
2010536612.tif 000005
【図４】
2010536612.tif 000006
【国際調査報告】
2010536612.tif 000007
2010536612.tif 000008